(57)【要約】【課題】  遊技者が獲得したコインによって、飲料や物品と交換しようとするに際し、必要なコインの数を簡単かつ容易にカウントすることのできる遊技用コインカウンタを提供する。【解決手段】  一対の板状体１２，１３によって、少なくとも上端部が互いに所要の間隔を存して対向配置できるようカウンタ主体１１を構成し、このカウンタ主体１１の各上縁部に沿って、それぞれコイン１７を直立状態で係合保持することのできる切欠き部１６を形成して遊技用コインカウンタ１とする。【選択図】      図６
2006255271.tif 000002
【特許請求の範囲】
【請求項１】
少なくとも上端部が互いに所要の間隔を存して対向配置できるようカウンタ主体が構成され、
このカウンタ主体の各上縁部に沿って、それぞれコインを直立状態で係合保持することのできる切欠き部が形成されていること
を特徴とする遊技用コインカウンタ。
【請求項２】
前記カウンタ主体は、
一対の板状体からなるもので、少なくとも上端部が互いに所要の間隔を存して対向保持されるよう構成されるものであること
を特徴とする請求項１に記載の遊技用コインカウンタ。
【請求項３】
前記カウンタ主体は、
１枚の矩形状の板体を長手方向の中心部でＶ字状に２つ折りし、各板状体を相互に連結する連結部材によって開閉自在とし、かつ各板状体の上端部が所要の間隔で対向保持するよう構成されていること
を特徴とする請求項１又は２に記載の遊技用コインカウンタ。
【請求項４】
前記カウンタ主体は、
１枚の矩形状の板体を断面チャンネル状もしくはＵ字状に形成するとともに、相対する板状体間を折曲げ可能な連結部材によって開閉自在に連結し、各板状体の上端部が所要の間隔で対向保持するよう構成されていること
を特徴とする請求項１又は２に記載の遊技用コインカウンタ。
【請求項５】
前記カウンタ主体は、
各板状体の上縁部に形成された切欠き部の下方に、コインの枚数を示す表示が記載されていること
を特徴とする請求項１〜４のいずれかに記載の遊技用コインカウンタ。
【請求項６】
前記カウンタ主体は、
上端部が対向する一対の板状体間内にカードが保持できるよう構成されていること
を特徴とする請求項１〜５のいずれかに記載の遊技用コインカウンタ。
【請求項７】
前記カウンタ主体は、
合成樹脂もしくは厚紙を素材として形成されたものであること
を特徴とする請求項１〜６のいずれかに記載の遊技用コインカウンタ。
【請求項８】
前記連結部材は、
内側に折り込み式とするか、もしくはジャバラ状に折り畳みが可能なものとしたこと
を特徴とする請求項３又は４に記載の遊技用コインカウンタ。
【請求項９】
前記切欠き部は、
前記各板状体の一方端から他方端に向かって、同一の深さで形成されていること
を特徴とする請求項１に記載の遊技用コインカウンタ。
【請求項１０】
前記切欠き部は、
前記各板状体の上端縁の一方端から他方端に向かって、定間隔毎に所要長さの下り傾斜面を複数形成し、各下り傾斜面の先端部に、当該傾斜面との角度が直角を形成する立上り縁を前記各板状体の上端縁に達するよう形成した複数のコイン収容部で構成されていること
を特徴とする請求項１に記載の遊技用コインカウンタ。
【請求項１１】
前記切欠き部は、
収容枚数の異なる複数のコイン収容部で構成されていること
を特徴とする請求項１に記載の遊技用コインカウンタ。
【請求項１２】
前記カウンタ主体は、
その表面には、キャラクタなどの図形又は店舗情報などの表示が描かれていること
を特徴とする請求項１〜１１のいずれかに記載の遊技用コインカウンタ。
【発明の詳細な説明】
【技術分野】
【０００１】
この発明は、マイコンなどの制御装置を用いて遊技態様を制御する遊技機、特に、機器本体の筐体に揺動可能に取り付けた操作レバーにより遊技者が各種の操作を行なうように構成されたスロットマシン、ポーカーゲーム機などの遊技機に使用されるメダルやコインなどを、容易にカウントすることのできる遊技用コインカウンタに関するものである。
【背景技術】
【０００２】
従来、スロットマシン等に代表される各種の遊技機、特に、パチスロ機と称される遊技機にあっては、機器本体の筐体に揺動可能に保持される操作レバーを有するとともに、複数の特別図柄を変動表示する液晶表示装置を備え、遊技者による操作レバーの操作を契機として、特別の図柄が所定の停止態様を構成した場合に「大当り（ビック）」となり、遊技者にとって有利な遊技状態である「特別遊技状態」に移行するようになされたものが普及している。
【０００３】
このパチスロ機は、通常、所要の径と大きさを有するコイン（又はメダル）を遊技媒体として用いて遊技するとともに、特定の賞に入賞すると、その賞に応じてコインが所定のコイン払い出し口から払い出され、遊技店があらかじめ用意した景品と交換するようになっている。このような交換方式は、遊技店が貸与するパチンコ玉を使用して行なうパチンコ遊技機においても同じである。
【０００４】
かかるコインなどの景品への交換に際しては、通常、店舗内に設置された交換所において、大型の計数機（カウンタ）を使用して、瞬時に交換されるコインやパチンコ球を計数し、その枚数をシートに印刷して手渡しされるのが一般的である。
【０００５】
一方、遊技（ゲーム）中の遊技者は、ゲームの途中にのどの渇き、空腹などによって、さらには喫煙などのため、店内においてカップ入りもしくは缶入り飲料、あるいはタバコやスナック菓子を求めることが多々あり、その対価として店内においては、ゲームに使用されるコインやパチンコ球などが一般的に使用されている。
【０００６】
その際、パチンコ球にあっては、図８に示すように、矩形状の盆状体からなるケース本体１の底面上にパチンコ球２の外形とほぼ相似の球状の凹み３を多数形成した簡易な計数器４を使用して球数を数えることが行なわれている。
【０００７】
しかしながら、コインを計数する器具としては、たとえば、特開平１１−１７８９８６号公報（特許文献１）に記載された遊技機において、プレーヤから容易に視認でき、かつプレー中の姿勢を保った儘でプレーヤの手が届く位置に配置されたメダルカウンタが開示されている。このメダルカウンタは、プレーヤに付与される利益が比較的大きい特別の賞に対応した少なくとも１組の凹陥部を備え、この１組の凹陥部は、当該賞１回に対して１枚を対応させてメダルを保持する第１凹陥部と、当該賞の所定回に対して１枚を対応させてメダルを保持する第２凹陥部とを少なくとも有するものである。
【特許文献１】特開平１１−１７８９８６号公報（請求項２）
【発明の開示】
【発明が解決しようとする課題】
【０００８】
前記の特許文献１に開示されたメダルカウンタは、個々のプレーヤがそのプレーを開始してから現在に至るまでの間の、ビッグ（大当り）やレギュラーの当たり数の回数を参考にして爾後のゲームの進め方を検討するためのもので、各種賞を取ったのに合わせて、手元にあるメダルを積み上げ、そのメダル数から実績を知得せんとするものである。したがって、手持ちのメダルの数を簡単かつ容易に計数するためのものではない。
【０００９】
そのため、ゲーム中に特定の枚数のメダルを必要とするときには、遊技者は、たとえばコイン払い出し口に貯留されたコインを一握り分取り出し、これを一枚ずつカウントして必要枚数を選ぶ以外に手元で簡易にコインをカウントする手段は存在していない。
【００１０】
この発明はかかる現状に鑑み、遊技者が獲得したコインによって、店内において飲料や物品の交換に際し、必要なコインの数を簡単かつ容易にカウントすることのできる遊技用コインカウンタを提供せんとするものである。
【課題を解決するための手段】
【００１１】
前記目的を達成するため、この発明の請求項１に記載の発明は、
少なくとも上端部が互いに所要の間隔を存して対向配置できるようカウンタ主体が構成され、
このカウンタ主体の各上縁部に沿って、それぞれコインを直立状態で係合保持することのできる切欠き部が形成されていること
を特徴とする遊技用コインカウンタである。
【００１２】
また、この発明の請求項１に記載の発明は、
請求項１に記載の遊技用コインカウンタにおいて、
前記カウンタ主体は、
一対の板状体からなるもので、少なくとも上端部が互いに所要の間隔を存して対向保持されるよう構成されるものであること
を特徴とするものである。
【００１３】
また、この発明の請求項３に記載の発明は、
請求項１又は２に記載の遊技用コインカウンタにおいて、
前記カウンタ主体は、
１枚の矩形状の板体を長手方向の中心部でＶ字状に２つ折りし、各板状体を相互に連結する連結部材によって開閉自在とし、かつ各板状体の上端部が所要の間隔で対向保持するよう構成されていること
を特徴とするものである。
【００１４】
また、この発明の請求項４に記載の発明は、
請求項１又は２に記載の遊技用コインカウンタにおいて、
前記カウンタ主体は、
１枚の矩形状の板体を断面チャンネル状もしくはＵ字状に形成するとともに、相対する板状体間を折曲げ可能な連結部材によって開閉自在に連結し、各板状体の上端部が所要の間隔で対向保持するよう構成されていること
を特徴とするものである。
【００１５】
また、この発明の請求項５に記載の発明は、
請求項１〜４のいずれかに記載の遊技用コインカウンタにおいて、
前記カウンタ主体は、
各板状体の上縁部に形成された切欠き部の下方に、コインの枚数を示す表示が記載されていること
を特徴とするものである。
【００１６】
また、この発明の請求項６に記載の発明は、
請求項１〜５のいずれかに記載の遊技用コインカウンタにおいて、
前記カウンタ主体は、
上端部が対向する一対の板状体間内にカードが保持できるよう構成されていること
を特徴とするものである。
【００１７】
また、この発明の請求項７に記載の発明は、
請求項１〜６のいずれかに記載の遊技用コインカウンタにおいて、
前記カウンタ主体は、
合成樹脂もしくは厚紙を素材として形成されたものであること
を特徴とするものである。
【００１８】
また、この発明の請求項８に記載の発明は、
請求項３又は４に記載の遊技用コインカウンタにおいて、
前記連結部材は、
内側に折り込み式とするか、もしくはジャバラ状に折り畳みが可能なものとしたこと
を特徴とするものである。
【００１９】
また、この発明の請求項９に記載の発明は、
請求項１に記載の遊技用コインカウンタにおいて、
前記切欠き部は、
前記各板状体の一方端から他方端に向かって、同一の深さで形成されていること
を特徴とするものである。
【００２０】
また、この発明の請求項１０に記載の発明は、
請求項１に記載の遊技用コインカウンタにおいて、
前記切欠き部は、
前記各板状体の上端縁の一方端から他方端に向かって、定間隔毎に所要長さの下り傾斜面を複数形成し、各下り傾斜面の先端部に、当該傾斜面との角度が直角を形成する立上り縁を前記各板状体の上端縁に達するよう形成した複数のコイン収容部で構成されていること
を特徴とするものである。
【００２１】
また、この発明の請求項１１に記載の発明は、
請求項１に記載の遊技用コインカウンタにおいて、
前記切欠き部は、
収容枚数の異なる複数のコイン収容部で構成されていること
を特徴とするものである。
【００２２】
また、この発明の請求項１２に記載の発明は、
請求項１〜１１のいずれかに記載の遊技用コインカウンタにおいて、
前記カウンタ主体は、
その表面には、キャラクタなどの図形又は店舗情報などの表示が描かれていること
を特徴とするものである。
【発明の効果】
【００２３】
この発明の遊技用コインカウンタは、少なくとも上端部が互いに所要の間隔を存して対向配置できるようカウンタ主体を構成し、このカウンタ主体の各上縁部に沿って、それぞれコインを直立状態で係合保持することのできる切欠き部を形成したので、ゲーム中などにおいて、必要な枚数のコインを得たい場合には、前記カウンタ主体の各上端縁を所要の間隔で対向状態を保持した状態で、前記対向配置された切欠き部間に複数のコインを直立状態で跨いで載せれば、目視で必要な枚数のコインを即座に選び出すことができる。その際、前記各切欠き部の下方にコインの厚み応じた目盛りを設けておけば、その目盛りを読み取ることによって、一々コイン数を数える必要がなく、きわめて至便なものである。
【００２４】
特に、この発明の遊技用コインカウンタにおいては、前記カウンタ主体を一対の板状体で構成し、少なくとも各板状体の上縁部を所要の間隔で対向保持できるよう構成することによって、カウンタ主体上にコインを直立状態で保持することができるので、コインを安定して数えることができるものである。
【００２５】
また、カウンタ主体を、上端部が互いに所要の間隔を存して対向保持させることのできる一対の板状体で、または、長手方向の中心部でＶ字状に２つ折りする１枚の矩形状の板体で、さらには、１枚の矩形状の板体を断面がＵ字状となるよう構成することによって、簡単かつ容易に遊技用コインカウンタを得ることができる。
【００２６】
また、前記カウンタ主体を一対の板状体で形成し、少なくとも各板状体の上端部を、所要の間隔で対向させて保持するに際し、両板状体間に連結部材を設け、少なくとも上端部を所要間隔で対向させて、コインを直立状態で保持することができるよう構成すれば、コインを安定して数えることができる。また、このような構成にすることによって、各板状体間にカードなど厚さの薄いものを必要に応じて保持することが可能となるので、遊技用コインカウンタの用途を広げることができる。
【００２７】
また、前記の一対の板状体を連結する連結部材を、内側に折り込み式とするか、もしくはジャバラ状に折り畳みが可能なものとすることによって、板状体間の上端縁間の幅を調整することが可能となるとともに、カウンタ主体に収容可能なカードの枚数などを増やすことが可能となる。
【００２８】
また、前記カウンタ主体にコインを直立状態に保持する切欠き部を形成するに際し、互いに対向状態を保持する各板状体の上縁部に、前記の切欠き部を一方端から他方端に向かって同一の深さで形成すれば、多くのコインの枚数をカウントすることができる。また、前記各板状体の一方端から他方端に向かって、定間隔毎に所要長さの下り傾斜面を複数形成し、各下り傾斜面の先端部に、当該傾斜面との角度が直角を形成する立上り縁を前記各板状体の上縁に達するよう形成すれば、一定枚数毎にコインを仕分けすることができる。
さらに、収容枚数の異なる複数のコイン収容部で構成すれば、所望する枚数が得られるコイン収容部にコインを入れれば、即座に必要枚数を手に入れることができるものである。
【発明を実施するための最良の形態】
【００２９】
以下、この発明にかかる遊技用コインカウンタの一例を、添付の図面に基づいて具体的に説明するが、この発明は、少なくとも上端部が互いに所要の間隔を存して対向配置できるようカウンタ主体を構成し、このカウンタ主体の各上縁部に沿って、それぞれコインを直立状態で係合保持することのできる切欠き部を形成する、という要旨を変更しない範囲内において種々改良を加えることができるものである。
【００３０】
図１は、この発明にかかる遊技用コインカウンタの一例を示す側面図、図２は、図１に示す遊技用コインカウンタの使用状態を示す側面図、図３は、図１に示す遊技用コインカウンタの正面図であって、遊技用コインカウンタ１０は、図３で明らかなように、一対の板状体１２，１３の下端部にヒンジ１４を設けて、カウンタ主体１１としたもので、使用しない状態では、図１で明らかなように、各板状体１２，１３が互いに重なり合っているものである。
【００３１】
使用に際しては、このカウンタ主体１１を、前記ヒンジ１４，１４を支点として全体を図２に示すように、側面視Ｖ字状に開くものであるが、コイン枚数のカウントに際し、各板状体１２，１３の上端部間の間隔が、カウントしようとするコインの径よりも大きく広がることなく、少なくとも上縁部が互いに対向するよう、前記ヒンジ１４に開口角度をコントロールする機能を持たせるか、各板状体１２，１３間に中心部が内側に折り込み可能な連結部材１５が設けられている。
【００３２】
このカウンタ主体１１には、上端部が開口した状態で前記のように複数のコイン１７の枚数をカウントするための切欠き部１６が、各板状体１２，１３の上端縁に形成されている。この切欠き部１６は、図３に示すように、一方端から他方端に向けて一定深さに切欠くことによって形成したもので、この切欠き部１６の下方に、コイン１７の枚数を示す目盛り１８が、指示線１９を介して表示されている。
【００３３】
かかる構成の遊技用コインカウンタ１０は、使用しないときは図１に示すように、一対の板状体１２，１３を重ね合わせて扁平な状態に折り畳んで保持されるものであるが、遊技中になんらかの理由で特定枚数のコイン１７を必要とするときは、まず、カウンタ主体１１を構成する一対の板状体１２，１３を適宜手段で、図２に示すように、その上端部が互いに所定の幅で対向するように開く。
ついで、図示しないが遊技機の前面部に設けられたコイン払出し口から複数枚のコインを取り出し、前記対向する各板状体１２，１３の上縁部に形成された切欠き部１６内に、図２に示すように、コイン１７が板状体１２，１３間を跨ぐようにして載せると、各コイン１７は切欠き部１６の底面上に直立状態で載置されるので、先端のコインの位置する下方の目盛り１８を読むことによって、その枚数を簡単にカウントすることができる。
【００３４】
その際、コイン１７は、図３に示すように、目盛り１８の数字の少ない方から順に収容して行き、目盛り１８一杯のコインが必要な場合には、切欠き部１６がフルに満たされるようにコイン１７を載せて行けばよい。また、たとえば、１０枚のコインが必要な場合においては、目盛り１８の低い数字、「１０」までコイン１７を端部から順次載せて行き、目盛り１０に合致した段階で、切欠き部１６へのコインの載置を止めればよいものである。
【００３５】
なお、この実施例においては、左右一対の板状体１２，１３の下端部をヒンジ１４によって結合させ、両板状体１２，１３に内側に折り込み可能な連結部材１５で一体的に結合し、開いた状態の板状体１２，１３の間隔を一定に保持するように構成しているが、互いに所定間隔を存して各上縁部が対向保持できれば、その手段については特段の制限はない。
【００３６】
また、図示の連結部材１５は上下方向に所要の長さを有しているが、その長さにも制限はないが、長く設定すれば、板状体１２，１３間にカード（図示せず）などを収容した場合に、側面から抜け落ちることがなく好ましいものである。
【００３７】
さらに、前記カウンタ主体１１は、図６に示すように、薄い矩形状の合成樹脂または厚紙を２つ折りして側面視Ｖ字状に形成して一対の板状体１２，１３を形成し、各板状体間１２，１３を蛇腹状に折り畳むことの可能な連結部材１５で相互に連結して上端部が所要間隔で対向するように構成してもよい。なお、図中２０は、当該カウンタ主体１１を形態保持するに際して、紛失などを予防するために装着するストラップを挿通するための挿通孔２０である。
【００３８】
また、カウント主体１１に形成する切欠き部１６は、図４に示すように板状体１２（１３）の上縁部に、一方端から他方端に向かって、定間隔毎に所要長さの下り傾斜面Ｘを複数形成し、各下り傾斜面Ｘの先端部に、当該傾斜面Ｘとの角度が直角を形成する立上り縁Ｙを板状体１２（１３）の上縁に達するよう形成したコイン収容部Ｚ，Ｚ・・・の複数で構成することもできる。なお、前記傾斜面Ｘと立上り縁Ｙとの交差部を直角とすることによって、各切欠き部１６にコイン１７を安定した状態で垂直に保持し、枚数を正確にカウントすることができる。
【００３９】
図４における複数のコイン収容部Ｚ，Ｚ・・・は、それぞれ一定数のコイン、実施例においては１０枚単位で収容し、総数で５０枚のコインをカウントすることができるように構成されているが、図５に示すように特定の枚数のみを収容可能とすることもできる。
【００４０】
すなわち、図５に示すように切欠き部１６は、使用されるコインの厚みに応じて、あらかじめ一定枚数のみ収容できるコイン収容部Ｚの複数で構成されたもので、対向する板状体１２（１３）の上縁部に、一方端から他方端に向かって、５枚のコイン１７をカウントするためのコイン収容部Ｚ１  、１０枚のコインをカウントするためのコイン収容部Ｚ２  、１５枚のメダルをカウントするためのメダル収容部Ｚ３  、２０枚のメダルをカウントするためのメダル収容部Ｚ４  で切欠き部１６を構成されている。したがって、このカウンタ主体１１を使用すれば、最大５０枚のメダルをカウントすることができるものである。
【００４１】
図７に示す遊技用コインカウンタ３０は、所要の幅と長さとを有する矩形状の１枚の板体を、断面がチャンネル状もしくはＵ字状になるよう折り曲げて形成するとともに、相対する板状体３２，３３間を折曲げ可能な連結部材３４によって連結し、各板状体３２，３３の上端部が所要の間隔で対向保持するよう構成してカウンタ主体３１とし、前記板状体３２，３３の上端縁によってコイン数をカウントするための切欠き部３５をそれぞれ対応する部位に形成したものである。したがって、前記の断面Ｖ字状のカウンタ主体１１に比べ板状体間の間隔があるので、多くのカード類を収容保持することが可能であるとともに、カウンタ主体３１そのものがボックス状であるので、より安定してコインを切欠き部３５間に載置して保持することが可能なものである。
【００４２】
なお、前記各実施例において、カウンタ主体１１を構成する板状体１２，１３、もしくはカウンタ主体３１を構成する板状体３２，３３の表面に、図示しないがキャラクタなどの図形又は店舗情報などの表示を描くことによって、遊技用コインカウンタ１０もしくは３０自体のデザイン性を向上させ、あるいは特定店舗の広告宣伝を行なうことができるので好ましいものである。
【００４３】
さらに、この発明にかかる遊技用コインカウンタは、カウンタ主体を構成する一対の板状体の上端部を少なくとも所要間隔に保持することができ、かつ対向する板状体の各上縁部に、それぞれコインをカウントするための切欠き部が相対位置に形成されていればよいものであるが、コインは使用するパチスロ機によって必ずしも同一の大きさではないので、使用するコインの外径ならびに厚みに応じて切欠き部の長さ、さらには対向する板状体の上端部間の幅を調節する必要がある。
【００４４】
この発明の遊技用コインカウンタは、一対の板状体の上端部を少なくとも所要間隔に保持でき、かつ対向する板状体の各上縁部に、複数のコインを整列させてその枚数をカウントすることのできる切欠き部を有するので、コインやメダルを使用する遊技機に使用することができることは勿論のこと、前記切欠き部の形状や長さなどを変更することによって硬貨、あるいは硬貨と同質のものなどの計数にも利用することができるものである。
【図面の簡単な説明】
【００４５】
【図１】この発明にかかる遊戯用コインカウンタの一例を示す側面図である。
【図２】図１に示す遊戯用コインカウンタの使用状態を示す側面図である。
【図３】図１に示す遊戯用コインカウンタの正面図である。
【図４】この発明にかかる遊戯用コインカウンタの他の例を示す正面図である。
【図５】この発明にかかる遊戯用コインカウンタのさらに他の例を示す正面図である。
【図６】この発明にかかる遊戯用コインカウンタのさらに他の例を示す斜視図である。
【図７】この発明にかかる遊戯用コインカウンタのさらに他の例を示す斜視図である。
【図８】従来の遊技機における計数器の一例を示す説明図である。
【符号の説明】
【００４６】
１０        遊技用コインカウンタ
１１        カウンタ主体
１２，１３  板状体
１４        ヒンジ
１５        連結部材
１６        切欠き部
１７        コイン
１８        目盛り
１９        指示線
【図１】
2006255271.tif 000003
【図２】
2006255271.tif 000004
【図３】
2006255271.tif 000005
【図４】
2006255271.tif 000006
【図５】
2006255271.tif 000007
【図６】
2006255271.tif 000008
【図７】
2006255271.tif 000009
【図８】
2006255271.tif 000010